(57)【要約】【課題】光学フィルタを保持しているフィルタ枠の光軸方向の寸法が短いカメラ用フィルタユニットを提案すること。【解決手段】カメラ用フィルタユニット１はフィルタ枠２とフィルタ保持リング３と光学フィルタ４とを有する。光学フィルタ４はフィルタ保持リング３に形成された突起３１とカシメ部３３ａで前後から挟まれてフィルタ保持リング３の内側に固定されている。フィルタ保持リング３は、外周面のリング側雄ねじ３２がフィルタ枠２の内周面の雌ねじ２２に捩じ込まれてフィルタ枠２の内側に固定されている。フィルタ枠２と、光学フィルタ４をフィルタ枠２に固定しているフィルタ保持リング３と、光学フィルタ４とが同心に配置されているので、フィルタ保持リング３および光学フィルタ４をフィルタ枠２から露出しない状態で配置するときに、フィルタ枠２の前後方向の寸法を短くすることができる。【選択図】図２
2010113016.tif 000002
【特許請求の範囲】
【請求項１】
筒状のフィルタ枠と、
前記フィルタ枠の内側に固定した筒状のフィルタ保持リングと、
前記フィルタ保持リングの内側に保持されている光学フィルタと、
前記光学フィルタの前後の移動を阻止している前側ストッパおよび後側ストッパとを有し、
前記前側ストッパは、前記フィルタ保持リングの前端縁に形成されており、
前記後側ストッパは、前記フィルタ保持リングの後端縁あるいは前記フィルタ枠の内周面に形成されており、
前記フィルタ保持リングおよび前記光学フィルタは、前記フィルタ枠の前後の端から露出しない状態で配置されていることを特徴とするカメラ用フィルタユニット。
【請求項２】
請求項１に記載のカメラ用フィルタユニットにおいて、
前記フィルタ枠の外周面には、その後端縁から前方に向けて一定幅の領域に枠側雄ねじが形成されており、
前記フィルタ枠の内周面には、その前端縁から後方に向けて一定幅の領域に雌ねじが形成されており、
前記フィルタ保持リングの外周面には、その前端縁から後方に向けて前記雌ねじの形成領域よりも狭い幅の領域に、前記雌ねじに螺合可能なリング側雄ねじが形成されており、
前記フィルタ保持リングの前記リング側雄ねじは前記雌ねじの後側の端までねじ込まれ、当該雌ねじの前側部分が前記フィルタ保持リングの前側において露出していることを特徴とするカメラ用フィルタユニット。
【請求項３】
請求項２に記載のカメラ用フィルタユニットにおいて、
前記前側ストッパは、前記フィルタ保持リングの前端縁から内側に突出している突起であり、
前記後側ストッパは、前記フィルタ保持リングにおける前記光学フィルタの後端縁よりも後方に突出している後端縁部分を内側にカシメることにより形成したカシメ部であることを特徴とするカメラ用フィルタユニット。
【請求項４】
請求項３に記載のカメラ用フィルタユニットにおいて、
前記フィルタ枠の内周面には、前記カシメ部の後方でこのカシメ部よりも内側に突出している環状段部を備えていることを特徴とするカメラ用フィルタユニット。
【請求項５】
請求項２に記載のカメラ用フィルタユニットにおいて、
前記前側ストッパは、前記光学フィルタの前端縁部分に前側から当接するように、前記フィルタ保持リングの前端縁から内側に突出している突起であり、
前記後側ストッパは、前記光学フィルタの後端縁部分に後側から当接するように、前記フィルタ枠の内周面に形成した段部であることを特徴とするカメラ用フィルタユニット。
【請求項６】
請求項３ないし５のうちのいずれかの項に記載のカメラ用フィルタユニットにおいて、
前記突起の前端面は、乱反射面となっていることを特徴とするカメラ用フィルタユニット。
【発明の詳細な説明】
【技術分野】
【０００１】
本発明は、光学フィルタを保持しているフィルタ枠の光軸方向の寸法を短くすることができるカメラ用フィルタユニットに関する。
【背景技術】
【０００２】
カメラの撮影レンズのレンズ鏡筒に取り付けられるカメラ用フィルタユニットは、円盤状の光学フィルタと、この光学フィルタを内側に保持している筒状のフィルタ枠とを備えている。フィルタ枠の外周面には、その後端縁から前方に向けて一定幅の領域に雄ねじが形成されている。フィルタ枠の内周面には、その前端縁から後方に向けて一定幅の領域に雌ねじが形成されている。外周面の雄ねじはカメラ用フィルタユニットをレンズ鏡筒に取り付けるために用いられ、内周面の雌ねじはカメラ用フィルタユニットにレンズキャップを取り付けたり、他のカメラ用フィルタユニットを前側に連結したりするために用いられる。雄ねじと雌ねじとは螺合可能なものになっている。光学フィルタは、フィルタ枠の内周面に形成されたフィルタ保持部に保持されて、固定されている。このようなカメラ用フィルタユニットは、例えば、特許文献１に記載されている。
【０００３】
図４は特許文献１に記載されているカメラ用フィルタユニットを模式的に示した縦断面図である。同文献のカメラ用フィルタユニット１００は、フィルタ枠１０１の雌ねじ１０１ａの形成領域の後方で内側に突出しているフィルタ保持部１０２を有している。フィルタ保持部１０２は、円環状の段部１０２ａと、段部１０２ａの後端縁から内側に突出している円環状の突起１０２ｂを備えている。光学フィルタ１０３は、フィルタ枠１０１の前側からフィルタ保持部１０２内に挿入されており、光学フィルタ１０３の外周面部分１０３ａを段部１０２ａ内周面に当接させるとともに、光学フィルタ１０３の後端縁部分１０３ｂを突起１０２ｂの前端面に当接させた状態で、フィルタ保持部１０２に保持されている。
【０００４】
光学フィルタ１０３の前側には円環状の止め輪１０４が配置されている。止め輪１０４は、外周面に雌ねじ１０１ａと螺合可能な雄ねじ１０４ａが形成されているものであり、雌ねじ１０１ａの後側の端までねじ込まれている。止め輪１０４の後端面１０４ｂは光学フィルタ１０３の前端縁１０３ｃに当接している。従って、光学フィルタ１０３は、止め輪１０４とフィルタ保持部１０２の突起１０２ｂとによって前後から挟まれて固定されている。
【特許文献１】特開平１１−２７１８４０号公報
【発明の開示】
【発明が解決しようとする課題】
【０００５】
カメラ用フィルタユニットは、通常は、撮影レンズの前端部分に取り付けられる。従って、光学フィルタを保持しているフィルタ枠の前後方向の寸法が長いと、撮影レンズの画角内にフィルタ枠の前端部分が入り込んでしまうという問題がある。このため、カメラ用フィルタユニットでは、フィルタ枠の寸法を短くすることが求められている。
【０００６】
図４に示すように、特許文献１に記載されているカメラ用フィルタユニット１００では、フィルタ枠１０１の寸法Ｌは、光学フィルタ１０３の厚さ寸法Ｍと、止め輪１０４の前後方向の幅寸法Ｎと、止め輪１０４からフィルタ枠１０１の前端までの第１寸法Ｏと、光学フィルタ１０３の後面からフィルタ枠１０１の後端までの第２寸法Ｐを合算した寸法になっている。
【０００７】
ここで、第１寸法Ｏは、フィルタ枠１０１の前端縁から一定幅の領域がレンズキャップなどを取り付けるための取り付け代となっているので、短縮することができない。第２寸法Ｐは、カメラ用フィルタユニット１００をカメラの撮影レンズ１０５に取り付けたときに、撮影レンズ１０５を構成している最前のレンズ１０６の前端面と光学フィルタ１０３の後面とが干渉することがないように、所定の寸法を確保しておく必要がある。また、光学フィルタ１０３をフィルタ枠１０１に確実に固定するためには、止め輪１０４の外周面の雄ネジ１０４ａの形成領域の幅寸法を確保しておく必要があるので、止め輪１０４の幅寸法Ｎを短くすることには限界がある。さらに、多種多様な光学フィルタ１０３の厚さ寸法Ｍを一律に薄くすることは困難である。このため、フィルタ枠１０１の寸法Ｌを短くすることは難しいという問題がある。
【０００８】
本発明の課題は、このような点に鑑みて、光学フィルタのフィルタ枠への取り付け構造を改良することによって、フィルタ枠の前後方向の寸法を短くすることができるカメラ用フィルタユニットを提案することにある。
【課題を解決するための手段】
【０００９】
上記の課題を解決するために、本発明のカメラ用フィルタユニットは、
筒状のフィルタ枠と
前記フィルタ枠の内側に固定した筒状のフィルタ保持リングと、
前記フィルタ保持リングの内側に保持されている光学フィルタと、
前記光学フィルタの前後の移動を阻止している前側ストッパおよび後側ストッパとを有し、
前記前側ストッパは、前記フィルタ保持リングの前端縁に形成されており、
前記後側ストッパは、前記フィルタ保持リングの後端縁あるいは前記フィルタ枠の内周面に形成されており、
前記フィルタ保持リングおよび前記光学フィルタは、前記フィルタ枠の前後の端から露出しない状態で配置されていることを特徴とする。
【００１０】
本発明のカメラ用フィルタユニットは、フィルタ枠の内側にフィルタ保持リングが固定されており、このフィルタ保持リングの内側に光学フィルタが保持されている。すなわち、光学フィルタをフィルタ枠へ取り付けるための部材であるフィルタ保持リングが、光学フィルタの前後に配置されるのではなく、光学フィルタの外周側に配置されている。この結果、フィルタ保持リングおよび光学フィルタをフィルタ枠から露出しない状態で配置するときに、フィルタ枠とフィルタ保持リングと光学フィルタとは同心に配置されるので、フィルタ枠の前後方向の寸法を短くすることができる。また、フィルタ保持リングの前端縁には、内側に保持している光学フィルタの前への移動を阻止する前側ストッパが形成されているので、光学フィルタの前への移動を阻止するために、その幅寸法を短縮することが困難な止め輪などを配置する必要もない。さらに、フィルタ枠とフィルタ保持リングと光学フィルタとが同心に配置されているので、光学フィルタをフィルタ枠に固定するための取り付け部分をフィルタ保持リングの外周面に設けることができる。この結果、光学フィルタとフィルタ枠との固定を確実にするために取り付け部分を前後方向に長く形成しても、取り付け部分と光学フィルタとが干渉することがない。また、取り付け部分は、前後方向と直交する方向で光学フィルタと重なるように形成することができるので、光学フィルタとフィルタ枠との固定を確実なものとした場合でも、フィルタ枠の寸法が長くなることを抑制できる。
【００１１】
本発明において、前記フィルタ枠の外周面には、その後端縁から前方に向けて一定幅の領域に枠側雄ねじが形成されており、前記フィルタ枠の内周面には、その前端縁から後方に向けて一定幅の領域に雌ねじが形成されており、前記フィルタ保持リングの外周面には、その前端縁から後方に向けて前記雌ねじの形成領域よりも狭い幅の領域に、前記雌ねじに螺合可能なリング側雄ねじが形成されており、前記フィルタ保持リングの前記リング側雄ねじは前記雌ねじの後側の端までねじ込まれ、当該雌ねじの前側部分が前記フィルタ保持リングの前側において露出していることが望ましい。一般的に、フィルタ枠の内周面の前端縁から所定幅の領域には、レンズキャップを取り付けたり、他のカメラ用フィルタユニットを連結したりするための雌ねじが形成される。従って、この雌ねじを形成する際に、この雌ねじの形成領域をレンズキャップやカメラ用フィルタユニットを取り付けたりするための取り付け代として必要な幅よりも広い一定幅にしておくとともに、フィルタ保持リングの外周面に雌ねじに螺合可能なリング側雄ねじを形成しておけば、この雌ねじとリング側雄ねじとを利用して光学フィルタをフィルタ枠に固定できる。また、フィルタ保持リングの前端縁から形成するリング側雄ねじの領域をフィルタ枠の雌ねじの形成領域よりも狭い幅の領域にしておけば、リング側雄ねじをフィルタ枠の雌ねじの後側の端までねじ込んだときに、雌ねじの前側部分がフィルタ保持リングの前側において露出するので、この露出部分を、レンズキャップやカメラ用フィルタユニットを取り付けるための取り付け代とすることができる。
【００１２】
本発明において、前記前側ストッパは、前記フィルタ保持リングの前端縁から内側に突出している突起であり、前記後側ストッパは、前記フィルタ保持リングにおける前記光学フィルタの後端縁よりも後方に突出している後端縁部分を内側にカシメることにより形成したカシメ部であることが望ましい。このようにすれば、光学フィルタはフィルタ保持リングに固定された状態でフィルタ枠に取り付けられるので、光学フィルタをフィルタ枠に固定する作業が容易である。また、光学フィルタをフィルタ保持リングに固定するためにフィルタ保持リングとは別の部材を用意する必要がないので、部品点数が少なくて済む。
【００１３】
この場合には、前記フィルタ枠の内周面には、前記カシメ部の後方でこのカシメ部よりも内側に突出している環状段部を備えていることが望ましい。このようにすれば、カシメ部は環状段部によって後側から被われるので、フィルタ枠の外側から見えなくなる。従って、カメラ用フィルタユニットの美感が向上する。
【００１４】
本発明において、前記前側ストッパは、前記光学フィルタの前端縁部分に前側から当接するように、前記フィルタ保持リングの前端縁から内側に突出している突起であり、前記後側ストッパは、前記光学フィルタの後端縁部分に後側から当接するように、前記フィルタ枠の内周面に形成した段部であることが望ましい。このようにすれば、光学フィルタは、フィルタ保持リングの前側ストッパとフィルタ枠の段部との間に挟まれて固定されるので、光学フィルタをフィルタ保持リングに固定しておく必要がない。従って、光学フィルタを保持しているフィルタ保持リングをフィルタ枠に捩じ込むだけで、光学フィルタをフィルタ枠に固定できる。また、光学フィルタをフィルタ枠に固定するためにフィルタ保持リングとは別の部材を用意する必要もないので、部品点数が少なくて済む。
【００１５】
本発明において、前記突起の前端面は、乱反射面となっていることが望ましい。このようにすれば、フィルタ枠の前端の外周側からフィルタ枠内に侵入しようとする外光は、フィルタ保持リングの突起の前端面によって乱反射させられる。従って、カメラ用フィルタユニットがカメラの撮影レンズの先端部分に取り付けられた場合には、外光がカメラの画面に映り込んでしまう現象が発生することを低減できる。
【発明を実施するための最良の形態】
【００１６】
以下に、図面を参照して本発明を適用したカメラ用フィルタユニットを説明する。
【００１７】
（全体構成）
図１はカメラ用フィルタユニットの斜視図である。図１に示すように、本形態のカメラ用フィルタユニット１は、筒状のフィルタ枠２と、フィルタ枠２の内側に固定した筒状のフィルタ保持リング３と、フィルタ保持リング３の内側に保持されている光学フィルタ４とを有している。フィルタ保持リング３および光学フィルタ４は、フィルタ枠２の前後の端から露出しない状態に配置されている。
【００１８】
（光学フィルタのフィルタ枠への取り付け構造）
図２は図１に示すカメラ用フィルタユニット１を模式的に示した縦断面図である。図２（ａ）は光学フィルタ４をフィルタ枠２に固定した状態を示しており、図２（ｂ）は光学フィルタ４を保持しているフィルタ保持リング３を示している。
【００１９】
図２（ａ）に示すように、フィルタ枠２の外周面には、その後端縁から前方に向けて一定幅の領域に枠側雄ねじ２１が形成されている。枠側雄ねじ２１はカメラ用フィルタユニット１を撮影レンズのレンズ鏡筒に取り付けるために用いられるものである。フィルタ枠２の内周面には、その前端縁から後方に向けて一定幅の領域に雌ねじ２２が形成されている。雌ねじ２２は、レンズキャップを取り付けたり、他のカメラ用フィルタユニットを連結したりするために用いられるものである。雌ねじ２２の形成領域の幅は、レンズキャップや他のカメラ用フィルタユニットを取り付けたりするための取り付け代として必要な幅よりも広く形成されている。雌ねじ２２が形成されている領域の後側には、平滑な一定幅の内周面部分２３と、その後側において内側に突出している円環状の段部２４とが形成されている。
【００２０】
フィルタ保持リング３の前端縁には、内側に突出している円環状の突起（前側ストッパ）３１が形成されている。突起３１の前端面は、フィルタ保持リング３と同心の溝が複数形成されることにより乱反射面３１ａとなっている。フィルタ保持リング３の外周面には、前端縁から後方に向けてフィルタ枠２の雌ねじ２２に螺合可能なリング側雄ねじ３２が形成されている。リング側雄ねじ３２の形成領域は、フィルタ枠２における雌ねじ２２の形成領域よりも狭い幅の領域になっている。
【００２１】
光学フィルタ４は一定厚さの円盤形状をしている。
【００２２】
図２（ｂ）に示すように、光学フィルタ４はフィルタ保持リング３の後側から、その内側に挿入されている。光学フィルタ４は、その外周面４ａがフィルタ保持リング３の内周面３ａに当接し、その前端縁部分４ｂがフィルタ保持リング３の突起３１の後端面３１ｂに当接した状態で、フィルタ保持リング３に保持されている。ここで、フィルタ保持リング３は、光学フィルタ４の後端縁４ｃよりも後方に突出している円環状の後端縁部分３３を備えており、この後端縁部分３３は、図２（ａ）に示すように、フィルタ保持リング３に光学フィルタ４が保持された状態で、内側にカシメられる。光学フィルタ４は、カシメによって形成された円環状のカシメ部（後側ストッパ）３３ａとフィルタ保持リング３の突起３１とによって、前後に移動しないようにして、フィルタ保持リング３に固定される。
【００２３】
次に、光学フィルタ４を保持したフィルタ保持リング３は、前側からフィルタ枠２に挿入される。また、フィルタ保持リング３は、リング側雄ねじ３２が雌ねじ２２の後側の端までねじ込まれるようにして、フィルタ枠２に固定される。
【００２４】
フィルタ保持リング３がフィルタ枠２に固定された状態では、フィルタ枠２の雌ねじ２２の前側部分は、フィルタ保持リング３の前側において露出しており、レンズキャップを取り付けたり、他のカメラ用フィルタユニットを連結したりするための取り付け代となる。
【００２５】
また、フィルタ保持リング３がフィルタ枠２に固定された状態では、フィルタ枠２の段部２４は、フィルタ保持リング３の後方でカシメ部３３ａよりも内側に突出しているので、カシメ部３３ａは段部２４によって後側から被われる。この結果、カシメ部３３ａがカメラ用フィルタユニット１の外側から見えなくなるので、カメラ用フィルタユニット１の美感が向上する。
【００２６】
さらに、フィルタ保持リング３がフィルタ枠２に固定された状態では、フィルタ保持リング３の突起３１の乱反射面３１ａは、フィルタ枠２の前端の外周側からフィルタ枠２内に侵入しようとする外光を乱反射させる。従って、カメラ用フィルタユニット１がカメラの撮影レンズの先端部分に取り付けられた場合には、外光がカメラの画面に映り込んでしまう現象が発生することを低減できる。
【００２７】
ここで、本例では、フィルタ枠２の内周面の雌ねじ２２の形成領域から段部２４までの間は平滑な内周面部分２３となっており、この内周面部分２３の内側に保持されているフィルタ保持リング３の筒状の胴部の壁の厚さも薄く形成されている。従って、フィルタ枠２内に固定されている光学フィルタ４の径は、図４に示されている従来のカメラ用フィルタユニット１００のフィルタ枠１０１のフィルタ保持部１０２に保持されている光学フィルタ１０３の径と同一になっている。すなわち、本例のカメラ用フィルタユニット１によれば、従来のカメラ用フィルタユニット１００に搭載されている光学フィルタ１０３の形状を変更することなく、そのまま、搭載することができる。
【００２８】
（光学フィルタのフィルタ枠への取り付け構造の変形例）
図３は光学フィルタ４のフィルタ枠２への取り付け構造の変形例を模式的に示した縦断面図である。本例のカメラ用フィルタユニット１Ａは、図１、図２に示すカメラ用フィルタユニット１と同様の構成を備えているので、共通する部分には同一の符号を付して、その説明を省略する。
【００２９】
本例では、フィルタ保持リング３Ａは、光学フィルタ４の後端縁４ｃよりも後方に突出している後端縁部分３３を備えておらず、フィルタ保持リング３Ａの後端３４は光学フィルタ４の後端縁４ｃと同じ位置になっている。あるいは、フィルタ保持リング３Ａの後端３４は光学フィルタ４の後端縁４ｃよりも前側に位置している。また、フィルタ枠２は、フィルタ保持リング３Ａがフィルタ枠２に固定されたときに、光学フィルタ４の後端縁４ｃと対応する位置に、フィルタ保持リング３Ａよりも内側に突出している円環状の段部（後側ストッパ）２５を備えている。そして、光学フィルタ４を保持したフィルタ保持リング３Ａがフィルタ枠２に固定された状態では、フィルタ保持リング３Ａの突起３１の後端面３１ｂが光学フィルタ４の前端縁部分４ｂに前側から当接し、フィルタ枠２の段部２５の前端面２５ａが光学フィルタ４の後端縁部分４ｃに後側から当接して、光学フィルタ４をフィルタ枠２に固定する。
【００３０】
本例によれば、光学フィルタ４をフィルタ保持リング３Ａに固定していないので、フィルタ保持リング３Ａが後端縁部分３３を備える必要がなく、この後端縁部分３３をカシメる必要もない。この結果、光学フィルタ４を内側に保持しているフィルタ保持リング３Ａをフィルタ枠２に捩じ込むだけで光学フィルタ４をフィルタ枠２に固定できるので、カメラ用フィルタユニット１Ａの組み立て作業が簡易になる。またカシメ部３３ａがない分だけ、フィルタ枠２の前後方向の寸法を短くすることができる。
【００３１】
（その他の実施の形態）
上記の例では、光学フィルタを保持しているフィルタ保持リングをフィルタ枠の内側に固定するために、フィルタ枠の雌ねじとフィルタ保持リングのリング側雄ねじとを利用しているが、フィルタ保持リングの外周面にリング側雄ねじを形成せずに、接着剤を用いてフィルタ保持リングをフィルタ枠に固定することもできる。
【００３２】
この場合には、例えば、フィルタ枠２の雌ねじ２２の形成領域をレンズキャップなどの取り付け代に必要な幅だけにしておいて、フィルタ枠２の内周面において平滑な内周面部分２３とされている部分にフィルタ保持リング３の外周面と嵌合する円環状の段部を形成する。そして、この段部の内側にフィルタ保持リング３を挿入して、段部の内周面にフィルタ保持リング３の外周面を接着する。
【００３３】
このようにしても、光学フィルタ４をフィルタ枠２に取り付けるための接着面が光学フィルタ４の外周側になるので、フィルタ枠２、フィルタ保持リング３および光学フィルタ４が同心に配置される。従って、フィルタ保持リング３および光学フィルタ４をフィルタ枠２から露出しない状態で配置するときに、フィルタ枠２の前後方向の寸法を短くすることができる。また、接着面はフィルタ保持リング３を挟んで、光学フィルタ４が保持されている内側とは反対側の外周面になる。従って、接着剤を用いて光学フィルタ４をフィルタ枠２に固定する際に、接着剤がフィルタ保持リング３の内側まで周り込んで、光学フィルタ４に付着してしまうことを回避できる。
【図面の簡単な説明】
【００３４】
【図１】本発明を適用したカメラ用フィルタユニットの斜視図である。
【図２】図１に示すカメラ用フィルタユニットを模式的に示した縦断面図であり、（ａ）は光学フィルタをフィルタ枠に固定した状態を示しており、（ｂ）は光学フィルタを保持しているフィルタ保持リングを示している。
【図３】光学フィルタのフィルタ枠への取り付け構造の変形例を模式的に示した縦断面図である。
【図４】従来のカメラ用フィルタユニットを模式的に示した縦断面図である。
【符号の説明】
【００３５】
１、１Ａ、１００  カメラ用フィルタユニット
２、１０１  フィルタ枠
３、３Ａ  フィルタ保持リング
４、１０３  光学フィルタ
２１  枠側雄ねじ
２２  雌ねじ
２３  内周面部分
２４  段部
２５  段部（後側ストッパ）
３１  突起（前側ストッパ）
３１ａ  乱反射面
３２  リング側雄ねじ
３３  後端縁部分
３３ａ  カシメ部（後側ストッパ）
【図１】
2010113016.tif 000003
【図２】
2010113016.tif 000004
【図３】
2010113016.tif 000005
【図４】
2010113016.tif 000006